(57)【要約】      （修正有）【課題】ロック装置の機械強度を高めることが可能なプラグコネクタ及びコネクタアセンブリを提供する。【解決手段】ロック装置４０は、ベース部４１を備え、ベース部両側にはそれぞれ折れ曲がった嵌合板４２を延伸し、二つの嵌合板の一端縁にはそれぞれ折れ曲がった弾性アーム４６を延伸させ、弾性アームは、基本アーム部と、連結部と、弾性アーム部とを備え、連結アーム上には嵌合支持アームを延伸させ、嵌合支持アーム末端には内側方向に延伸する嵌合フックを形成する。前記ベース部及び嵌合板は被覆外殻上を被覆し固定する。本プラグコネクタのロック装置は弾性アームを設置し、操作過程において、弾性アームは弾性アーム部が緩衝作用を生じさせ、弾性アームの過度の折れ曲がりにより引き起こされる機械疲労を防ぎ、ロック装置の機械強度を効果的に高めることが可能となる。【選択図】図２
0003156079.tif 000002
【実用新案登録請求の範囲】
【請求項１】
絶縁本体と、絶縁本体内に収める複数の導電端子と、絶縁本体上に嵌合する被覆外殻と、ロック装置とを備え、
前記ロック装置は、ベース部を備え、ベース部両側にはそれぞれ折れ曲がり延伸する嵌合板を形成し、二つの嵌合板の一端縁にはそれぞれ折れ曲がり延伸する連結アームを形成し、連結アームの末端には一方側方向に弾性アームを延伸させ、弾性アームは、基本アーム部と、基本アーム部の末端から折れ曲がり延伸する連結部と、連結部末端から折れ曲がり延伸する弾性アーム部とを備え、連結アーム上には嵌合支持アームを延伸させ、嵌合支持アーム末端には内側方向に延伸する嵌合フックを形成し、弾性アーム部は可動状態で嵌合板表面を弾力的に圧し、前記ベース部と嵌合板は被覆外殻上を被覆し固定することを特徴とするプラグコネクタ。
【請求項２】
前記基本アーム部の両側にはそれぞれ折れ曲がり延伸する握り部を形成することを特徴とする請求項１記載のプラグコネクタ。
【請求項３】
前記被覆外殻は、上部殻と下部殻を備え、前記上部殻は基板を備え、基板の両側縁はそれぞれ下方向に折れ曲がり延伸する側板を形成し、側板の一端上にはそれぞれ、突出する嵌合支持部とへこみのある嵌合支持溝を備え、前記下部殻は二つの側板部を備え、側板部にはそれぞれ外側方向に突き出す突出部を形成し、前記被覆外殻の上部殻と下部殻は嵌合して一つにし絶縁本体を包み覆い、下部殻の側板部は上部殻の側板内側に嵌合して支持し、突出部は嵌合支持溝内に嵌め込み支持することを特徴とする請求項１記載のプラグコネクタ。
【請求項４】
前記ロック装置の嵌合板上にはそれぞれ嵌合溝を設け、嵌合板の一方側縁にはそれぞれ内側方向に折れ曲がり延伸する引き掛け板を形成し、引き掛け板は被覆外殻下端を引きかけ支持し、被覆外殻の上部殻の嵌合支持部は嵌合溝内に嵌合して支持することを特徴とする請求項３記載のプラグコネクタ。
【請求項５】
前記ロック装置は金属素材で作製することを特徴とする請求項１記載のプラグコネクタ。
【請求項６】
コネクタアセンブリは、プラグコネクタ及びコンセントコネクタを備え、
前記プラグコネクタは、絶縁本体と、絶縁本体内に収める複数の導電端子と、絶縁本体上に嵌合する被覆外殻と、ロック装置とを備え、
前記ロック装置は、ベース部を備え、ベース部両側にはそれぞれ折れ曲がり延伸する嵌合板を形成し、二つの嵌合板の一端縁にはそれぞれ折れ曲がり延伸する連結アームを形成し、連結アームの末端には一方側方向に弾性アームを延伸させ、弾性アームは、基本アーム部と、基本アーム部の末端から折れ曲がり延伸する連結部と、連結部末端から折れ曲がり延伸する弾性アーム部とを備え、連結アーム上には延伸する嵌合支持アームを形成し、嵌合支持アーム末端には内側方向に延伸する嵌合フックを形成し、弾性アーム部は可動状態で嵌合板表面を弾力的に圧し、前記ベース部と嵌合板は被覆外殻上を被覆し固定し、
前記コンセントコネクタは、電気回路板と殻体を備え、
前記電気回路板は、その一辺縁箇所に内側方向の二つの固定支持溝を設け、二つの固定支持溝間にはコンセント底板を形成し、コンセント底板には複数のエッジコネクタを設置し、電気回路板一端には一対の嵌合固定溝を設け、
前記殻体は、電気回路板上に固定し、しかもコンセント底板の外側に嵌設、殻体とコンセント底板は挿入連結空間を取り囲み、殻体は二つの側面壁を備え、側面壁の一端はそれぞれ外側方向に折れ曲がり延伸する固定支持部を形成し、固定支持部末端下部には、水平で外側方向に延伸した後に更に上方向に折れ曲がり延伸する嵌合部を備え、嵌合部は電気回路板の嵌合固定溝内に挿入することを特徴とするコネクタアセンブリ。
【請求項７】
前記基本アーム部の両側にはそれぞれ折れ曲がり延伸する握り部を形成することを特徴とする請求項６記載のコネクタアセンブリ。
【請求項８】
前記被覆外殻は、上部殻と下部殻を備え、前記上部殻は基板を備え、基板の両側縁はそれぞれ下方向に折れ曲がり延伸する側板を形成し、側板の一端上にはそれぞれ、突出する嵌合支持部とへこみのある嵌合支持溝を備え、前記下部殻は二つの側板部を備え、側板部にはそれぞれ外側方向に突き出す突出部を形成し、前記被覆外殻の上部殻と下部殻は嵌合して一つにし絶縁本体を包み覆い、下部殻の側板部は上部殻の側板内側に嵌合して支持し、突出部は嵌合支持溝内に嵌め込み支持することを特徴とする請求項６記載のコネクタアセンブリ。
【請求項９】
前記ロック装置の嵌合板上にはそれぞれ嵌合溝を設け、嵌合板の一方側縁にはそれぞれ内側方向に折れ曲がり延伸する引き掛け板を形成し、引き掛け板は被覆外殻下端を引きかけ支持し、被覆外殻の上部殻の嵌合支持部は嵌合溝内に嵌合して支持することを特徴とする請求項６記載のコネクタアセンブリ。
【請求項１０】
前記ロック装置は金属素材で作製することを特徴とする請求項６記載のコネクタアセンブリ。
【考案の詳細な説明】
【技術分野】
【０００１】
本考案は、一種のコネクタに関するもので、特にプラグコネクタ及びコネクタアセンブリに係る。
【背景技術】
【０００２】
公知のロック装置を備えるプラグコネクタは、絶縁本体、複数の絶縁本体内に収める導電端子、及び絶縁本体上に設置するロック装置を備え、前記ロック装置は、ネジで締めるなどの方法で絶縁本体上に固定する。前記プラグコネクタはそれに対応して連結するコンセントコネクタに密着させる時、前記ロック装置によってプラグコネクタとコンセントコネクタを一緒にしてロックするものである。
【考案の概要】
【考案が解決しようとする課題】
【０００３】
しかし、前記プラグコネクタのロック装置は設計上、容易に機械疲労を生じさせ、ロック装置の機械強度を高めるのが難しく、嵌合の弾性にも劣る。
【課題を解決するための手段】
【０００４】
本考案の第一目的は、公知技術の不足点に鑑み、ロック装置の機械強度を高めることが可能なプラグコネクタを提供することにある。
【０００５】
本考案の第二目的は、公知技術の不足点に鑑み、ロック装置の機械強度を高めることが可能なコネクタアセンブリを提供することにある。
【０００６】
前記第一目的を達成するために、本考案の提供するプラグコネクタは、絶縁本体と、絶縁本体内に収める複数の導電端子と、絶縁本体上に嵌合する被覆外殻と、被覆外殻外に嵌合するロック装置とを備える。前記ロック装置は、ベース部を備え、ベース部両側にはそれぞれ折れ曲がった嵌合板を延伸し、二つの嵌合板の一端縁にはそれぞれ折れ曲がる連結アームを延伸し、連結アームの末端には一方側方向に弾性アームを延伸させ、弾性アームは、基本アーム部と、基本アーム部の末端から折れ曲がり延伸する連結部と、連結部末端から折れ曲がり延伸する弾性アーム部とを備え、連結アーム上には嵌合支持アームを延伸させ、嵌合支持アーム末端には内側方向に延伸する嵌合フックを形成する。弾性アーム部は可動状態で嵌合板表面を弾力的に圧する。前記ベース部及び嵌合板は被覆外殻上を被覆し固定する。
【０００７】
前記第二目的を達成するために、本考案の提供するコネクタアセンブリは、プラグコネクタとコンセントコネクタを備える。プラグコネクタは、絶縁本体と、絶縁本体内に収める導電端子と、絶縁本体上に嵌合する被覆外殻と、ロック装置を備える。ロック装置はベース部を備え、ベース部両側にはそれぞれ折れ曲がった嵌合板を延伸し、二つの嵌合板の一端縁にはそれぞれ折れ曲がる連結アームを延伸し、連結アームの末端には一方側方向に弾性アームを延伸させ、弾性アームは、基本アーム部と、基本アーム部の末端から折れ曲がり延伸する連結部と、連結部末端から折れ曲がり延伸する弾性アーム部とを備え、連結アーム上には嵌合支持アームを延伸させ、嵌合支持アーム末端には内側方向に延伸する嵌合フックを形成する。弾性アーム部は可動状態で嵌合板表面を弾力的に圧する。前記ベース部及び嵌合板は被覆外殻上を被覆し固定する。コネクタアセンブリは、電気回路板と、電気回路板上に固定する殻体を備える。電気回路板上には複数のエッジコネクタを設置し、殻体は両側壁を備え、それらの側壁の一端はそれぞれ外側方向に折れ曲がる固定支持部を延伸する。プラグコネクタの導電端子とコネクタアセンブリのエッジコネクタは相互に圧して接続し、プラグコネクタの嵌合フックはコンセントコネクタの固定支持部上に嵌合支持する。
【考案の効果】
【０００８】
前記のとおり、本考案のプラグコネクタ及びコネクタアセンブリのロック装置は弾性アームを設置しており、操作過程において、弾性アームの弾性アーム部に緩衝作用を生じさせる故、弾性アームの過度の折れ曲がりにより引き起こされる機械疲労を防ぎ、ロック装置の機械強度を効果的に高め、よってその嵌合の弾性を向上させることが可能となる。
【図面の簡単な説明】
【０００９】
【図１】本考案のプラグコネクタの実施例に関する立体図である。
【図２】図１に示したプラグコネクタの分解図である。
【図３】図２に示したプラグコネクタのロック装置に関する立体図である。
【図４】対応するプラグコネクタに連結するコンセントコネクタの立体図である。
【図５】図１に示したプラグコネクタとそれに対応するコンセントコネクタとを挿入連結した後の立体図である。
【考案を実施するための形態】
【００１０】
本考案の技術内容、構造の特徴、達成する目的及びその効果を理解して戴くために、実施例と図面を組み合わせて詳細説明を行う。
【実施例】
【００１１】
図１及び図２に示すとおり、本考案のプラグコネクタ１は、絶縁本体１０、導電端子２０、被覆外殻３０、ロック装置４０、及び印刷回路板５０を備える。
【００１２】
図２に示すとおり、前記絶縁本体１０はほぼ長方形状の基本体１１を備え、基本体１１の一端は内側方向にへこみ左右を基本体１１に貫通させる挿入接続溝１２を形成し、挿入接続溝１２内壁上には相互に対応する複数の端子溝１３をあけ、端子溝１３は基本体１１の他の一端に延伸する。
【００１３】
図２に示すとおり、前記導電端子２０は、長棒状の基本アーム２１と、基本アーム２１の一方側縁から折れ曲がり延伸する接触アーム２２と、基本アーム２１の他の一方側縁から折れ曲がり延伸するハンダアーム２３とを備える。導電端子２０はそれぞれ端子溝１３内に収められ、その内の接触アーム２２は挿入接続溝１２内に挿入しハンダアーム２３は前記印刷回路板５０上にハンダ付けする。
【００１４】
続いて図２に示すとおり、前記被覆外殻３０は、上部殻３１と下部殻３２を備える。前記上部殻３１は長方形板状の基板３１１を備え、基板３１１の両側縁はそれぞれ下方向に折れ曲がり延伸する側板３１２を形成し、側板３１２の末端一部にはそれぞれ折り曲がり延伸する連接板３１３を形成し、連接板３１３は相互に嵌合支持して連接する。二つの側板３１２上にはそれぞれ外側方向に延伸する嵌合支持部３１４とへこみのある嵌合支持溝３１５を備える。下部殻３２は二つの側板部３２１を備え、側板部３２１にはそれぞれ外側方向に突き出す突出部３２２を形成する。被覆外殻３０の上部殻３１と下部殻３２は嵌合して一つにし絶縁本体１０を包み覆う。下部殻３２の側板部３２１は上部殻３１の側板３１２内側に嵌合して支持し、突出部３２２は嵌合支持溝３１５に嵌め込み支持する。
【００１５】
図２及び図３に示すとおり、前記ロック装置４０は金属素材から成り、長方形板状のベース部４１を備える。ベース部４１の両側縁にはそれぞれ下方向に折れ曲がり延伸する嵌合板４２を形成し、二つの嵌合板４２の下側縁にはそれぞれ内側方向に折れ曲がり延伸する二つの引き掛け板４３を形成し、二つの嵌合板４２のほぼ中程箇所にはそれぞれ嵌合溝４４を設け、二つの嵌合板４２の一端縁にはそれぞれ外側方向に折れ曲がり延伸する連結アーム４５を形成し、連結アーム４５末端には一方側に延伸する弾性アーム４６を備え、弾性アーム４６は、細長形状の基本アーム部４６１と、基本アーム部４６１の上下両側から折れ曲がり延伸する二つの握り部４６２と、基本アーム部４６１末端から折れ曲がり延伸する連結部４６３と、連結部４６３末端から折れ曲がり延伸する弾性アーム部４６４とを備える。連結アーム４５上の縁には他の一方側方向に折れ曲がり延伸する嵌合支持アーム４７を形成し、嵌合支持アーム４７末端には内側方向に延伸する嵌合フック４８を形成する。前記ロック装置４０のベース部４１と嵌合板４２は、被覆外殻３０上を包み覆い固定し、ベース部４１は超音波ハンダ方式で被覆外殻３０の基板３１１上にハンダする。ロック装置４０の引き掛け板４３は被覆外殻３０下端を引きかけ支持する。被覆外殻３０の嵌合支持部３１４はロック装置４０の嵌合溝４４内に嵌合して支持する。ユーザーは二つの弾性アーム４６をしっかりと握り、それによって二つの嵌合支持アーム４７が外側方向に開かれる過程において、弾性アーム４６の握り部４６２を握った時の感覚は快適で、弾性アーム部４６４が嵌合板４２表面を圧して緩衝作用を起こすことにより、弾性アーム４６の過度の折れ曲がりを防止することができる。弾性アーム４６を開くと、弾性アーム４６は元来の位置に戻り、嵌合支持アーム４７は内側方向に収縮してスタート状態に戻る。
【００１６】
図４に示すとおり、プラグコネクタ１に対応するコンセントコネクタ２は、電気回路板６０と殻体７０を備える。電気回路板６０の一つの縁箇所には内側方向に二つの固定支持溝６１を設け、更に電気回路板６０の二つの固定支持溝６１間にはコンセント底板６２を形成し、コンセント底板６２には複数のエッジコネクタ（golden finger）６３を設置し、電気回路板６０一端には一対の嵌合固定溝６４を設ける。殻体７０は電気回路板６０上に固定し、しかもコンセント底板６２の外側に嵌設する。殻体７０とコンセント底板６２は挿入連結空間（未図示）を取り囲み、殻体７０は二つの側面壁７１を備え、側面壁７１の一端はそれぞれ外側方向に折れ曲がり延伸する固定支持部７２を形成し、固定支持部７２末端下部には、水平で外側方向に延伸した後に更に上方向に折れ曲がり延伸する嵌合部７３を備える。殻体７０は電気回路板６０上に装着し、側面壁７１は電気回路板６０の固定支持溝６１内に挿入し、嵌合部７３は電気回路板６０の嵌合固定溝６４内に挿入する。
【００１７】
図５に示すとおり、本考案のプラグコネクタ１はコンセントコネクタ２に挿入する。コネクタアセンブリを組み立てる場合、プラグコネクタ１の前端をコンセントコネクタ２の挿入連結空間内に挿入すると、プラグコネクタ１の導電端子２０とコンセントコネクタ２のエッジコネクタ６３が相互に圧して接続され、プラグコネクタ１の嵌合フック４８はコンセントコネクタ２の固定支持部７２上に引っ掛かり、更に、プラグコネクタ１と殻体７０の安定した連結を確保する。
【００１８】
前述したとおり、本考案のプラグコネクタ及びコネクタアセンブリのロック装置４０は弾性アーム４６を設置し、操作過程において、弾性アーム４６の弾性アーム部４６４が緩衝作用を起こし、弾性アーム４６が過度に折れ曲がり機械疲労を起こすのを防止し、ロック装置４０の機械強度を効果的に高め、これによって嵌合の弾性を向上させることが可能となる。
【符号の説明】
【００１９】
１  プラグコネクタ
１０  絶縁本体
１１  基本体
１２  挿入接続溝
１３  端子溝
２０  導電端子
２１  基本アーム
２２  接触アーム
２３  ハンダアーム
３０  被覆外殻
３１  上部殻
３１１  基板
３１２  側板
３１３  連接板
３１４  嵌合支持部
３１５  嵌合支持溝
３２  下部殻
３２１  側板部
３２２  突出部
４０  ロック装置
４１  ベース部
４２  嵌合板
４３  引き掛け板
４４  嵌合溝
４５  連結アーム
４６  弾性アーム
４６１  基本アーム部
４６２  握り部
４６３  連結部
４６４  弾性アーム部
４７  嵌合支持アーム
４８  嵌合フック
５０  印刷回路板
２  コンセントコネクタ
６０  電気回路板
６１  固定支持溝
６２  コンセント底板
６３  エッジコネクタ
６４  嵌合固定溝
７０  殻体
７１  側面壁
７２  固定支持部
７３  嵌合部
【図１】
0003156079.tif 000003
【図２】
0003156079.tif 000004
【図３】
0003156079.tif 000005
【図４】
0003156079.tif 000006
【図５】
0003156079.tif 000007